(57)【要約】【課題】本のように綴じられた原稿の読取に関して、利用者の原稿読取時の作業を軽減する機能を持った原稿読取装置を提供する。【解決手段】原稿読取装置は、複数の画像を読取順と関連付けて記憶するスキャナと、読取った画像データ中の輝度が所定値より低い領域を検出する処理部Ｓ１２０と、文字画像の正立方向を判定する処理部Ｓ１１０と、検出された領域と文字画像の正立方向の判定に基づいて読取った画像の順序を変更する処理部Ｓ１３０、Ｓ１４０、Ｓ１５０、Ｓ１７０、Ｓ２００〜Ｓ２４０とを有する。【選択図】        図３
2010028510.tif 000002
【特許請求の範囲】
【請求項１】
原稿の画像を入力するための原稿読取装置であって、
複数ページの原稿を読取って複数の画像に変換するための画像読取手段と、
前記複数の画像を読取順と関連付けて記憶するための画像記憶手段と、
前記複数の画像の各々に対し、輝度が所定値より低い画素からなる領域を検出するための検出手段と、
画像データ内の文字画像の正立方向を判定するための判定手段と、
前記検出手段により検出された領域及び前記判定手段により判定された文字画像の正立方向に基づいて、前記複数の画像の順序を変更するための順序変更手段とを含む、原稿読取装置。
【請求項２】
前記複数の画像に対し、前記判定手段の判定結果により示される正立方向が所定の方向と異なっているものを、文字の正立方向が前記所定の方向と一致するように画像を回転させるための回転手段をさらに含む、請求項１に記載の原稿読取装置。
【請求項３】
前記複数の画像の各々に対し、前記検出手段により検出された前記領域の輝度を白領域の輝度として定められた所定の値に変更するための輝度値変更手段をさらに含む、請求項１又は請求項２に記載の原稿読取装置。
【請求項４】
表示装置と、
前記画像記憶手段に記憶された前記複数の画像を前記表示装置にプレビュー表示させるためのプレビュー手段とをさらに含む、請求項１〜請求項３のいずれかに記載の原稿読取装置。
【請求項５】
さらに、前記画像記憶手段に記憶された前記複数の画像の向きを変更可能な編集手段を含む、請求項１〜請求項４のいずれかに記載の原稿読取装置。
【請求項６】
前記編集手段は、前記画像記憶手段に記憶された前記複数の画像の順序を変更することが可能である、請求項５に記載の原稿読取装置。
【請求項７】
さらに、前記画像記憶手段に記憶された前記複数の画像の順序を変更するための順序変更手段を含む、請求項１〜請求項４のいずれかに記載の原稿読取装置。
【請求項８】
さらに、前記画像記憶手段に記憶された画像のうち、前記検出手段により前記領域が検出され、かつ当該領域が画像の中央部を含む所定範囲内にあるものについて、前記領域を中心として２つの画像に分割するための画像分割手段を含む、請求項１〜請求項７のいずれかに記載の原稿読取装置。
【請求項９】
さらに、前記画像記憶手段に記憶された画像のうち、前記検出手段により前記領域が検出され、かつ当該領域が画像の中央の所定領域以外に位置しているものを抽出し、抽出された各画像内で前記領域が検出された位置に基づいて、各画像の順序を再設定するための順序再設定手段を含む、請求項１〜請求項８のいずれかに記載の原稿読取装置。
【発明の詳細な説明】
【技術分野】
【０００１】
本発明は、画像を読取って所定の処理を行なう原稿読取装置に関し、特に、本のように綴じられた原稿を扱う原稿読取装置に関する。
【背景技術】
【０００２】
原稿読取装置において、原稿を読取方式には２種類ある。１つは原稿を読取装置のプラテン板上に１枚ずつ置き順番に読取る方式である。もう１つは原稿読取装置の原稿カバー上にＡＤＦ（Ａｕｔｏ  Ｄｏｃｕｍｅｎｔ  Ｆｅｅｄｅｒ）装置を設けて、原稿を搬送しながら順番に読取る方式である。
【０００３】
綴じられていない複数枚の原稿を順番に読取る時には、自動で原稿を搬送し読取を行なうＡＤＦ装置を用いた方式が便利である。しかし、本のように綴じられた原稿（以下「ブック原稿」と呼ぶ。）を読取る際には原稿搬送ができないためＡＤＦ装置は使用できない。そのため、読取らせるページを開き１ページずつプラテン板上に置き、順番に読取る方式を採っていた。また、プラテン板上にページを開いて置き２ページ分の原稿を読取らせた場合、プラテン板上で読取った２ページ分の原稿は１つの画像として処理される。そのため、データとしては利用しづらいものになっていた。
【０００４】
特許文献１では、ブック原稿のページを開いて読取る時、ユーザの指示により読取った画像を中央で分割し、２つの画像として処理する技術が開示されている。
【特許文献１】特開２００３−１８３９６
【発明の開示】
【発明が解決しようとする課題】
【０００５】
しかし、ブック原稿のサイズは様々であり、プラテン板上に見開きの状態で置けるサイズとは限らない。そのため、綴じられた原稿を１ページずつ読取る方式についても考慮する必要がある。
【０００６】
ページを読取る際に重要となるのは、ページの順序と上下である。データとしては正しい上下方向で正しい順序で取り込まれるのが望ましい。しかし、ブック原稿の読取り方は利用者の好みで行なわれていることが多く、読取り方によっては読取り作業後にページ順や上下方向を揃える作業など、新たな作業が発生するという問題点がある。
【０００７】
特許文献１の技術は、ブック原稿を開いた状態で読取るための技術であるため、１ページずつ読取る方式には適していない。
【０００８】
本発明の目的は、ブック原稿の読取に関してページの読取順序と上下方向とを考慮し、利用者の原稿読取時の作業を軽減する機能を持った原稿読取装置を提供することである。
【課題を解決するための手段】
【０００９】
本発明の第１の局面に係る原稿読取装置は、複数ページの原稿を読取って複数の画像に変換するための画像読取手段と、複数の画像を読取順と関連付けて記憶するための画像記憶手段と、複数の画像の各々に対し、輝度が所定値より低い画素からなる領域を検出するための検出手段と、画像データ内の文字画像の正立方向を判定するための判定手段と、検出手段により検出された領域及び判定手段により判定された文字画像の正立方向に基づいて、複数の画像の順序を変更するための順序変更手段とを含む。
【００１０】
この原稿読取装置は、ブック原稿の読取に関して、ページの読取順序と正立方向とを考慮し、複数の画像の順序を変更することができる。この結果、利用者の原稿読取時の作業を軽減することができる。
【００１１】
好ましくは、原稿読取装置は、複数の画像に対し、判定手段の判定結果により示される正立方向が所定の方向と異なっているものを、文字の正立方向が所定の方向と一致するように画像を回転させるための回転手段を含む。
【００１２】
原稿の読取時に、ページの上下方向を逆に読取っても、文字の正立方向が所定の方向に一致するように画像を回転させる。この動作により、ページの上下方向を気にすることなしにブック原稿の読取りが可能になる。
【００１３】
より好ましくは、原稿読取装置は、複数の画像の各々に対し、検出手段により検出された領域の輝度を白領域の輝度として定められた所定の値に変更するための輝度値変更手段を含む。
【００１４】
輝度値が低く影として検出された領域を、白領域の輝度としての所定の値に変更することができる。この動作により影領域を白く置換え、画像の影部分を消去することができる。
【００１５】
さらに好ましくは、原稿読取装置は、表示装置と、画像記憶手段に記憶された複数の画像を表示装置にプレビュー表示させるためのプレビュー手段とを含む。
【００１６】
原稿読取装置によって行なわれた画像順序の変更、画像の上下方向の回転、及び画像の影部分消去をプレビュー表示によって確認することができる。プレビュー表示によって画像を確認することで、印刷及び送信処理を実行する前に画像データに間違いがないかを確認することができる。
【００１７】
好ましくは、原稿読取装置は、画像記憶手段に記憶された複数の画像の向きを変更可能な編集手段を含む。
【００１８】
より好ましくは、編集手段は、画像記憶手段に記憶された複数の画像の順序を変更することが可能である。
【００１９】
編集手段を用いることで、画像を手動で選択し画像の向き及び順序を変更することができる。この編集手段により、画像読取装置で上下方向の回転がなされなかった画像データを所望の方向に回転させることができ、画像データの順序も読取順とは関係なく並べなおすことができる。
【００２０】
さらに好ましくは、原稿読取装置は、画像記憶手段に記憶された複数の画像の順序を変更するための順序変更手段を含む。
【００２１】
原稿読取装置によって読取られた画像データは、原稿の読取順序に関わらず所望の順序で並べ替えることができる。この動作により、原稿読取時に作業を軽減することができる。
【００２２】
好ましくは、原稿読取装置は、画像記憶手段に記憶された画像のうち、検出手段により領域が検出され、かつ検出された領域が画像の中央部を含む所定範囲内にあるものについて、検出された領域を中心として２つの画像に分割するための画像分割手段を含む。
【００２３】
ブック原稿を見開きの状態で原稿載置台上に置き原稿読取を行なった場合、中央部に綴じ影が検出される。見開き状態では２ページ分の画像が読取られるので、中央部の検出された影の位置で読取った画像を分割し２つの画像として扱う。この動作により、一度に２ページ分の原稿を読取ることができ、原稿読取時の作業を軽減することができる。
【００２４】
より好ましくは、原稿読取装置は、画像記憶手段に記憶された画像のうち、検出手段により領域が検出され、かつ検出された領域が画像の中央の所定領域以外に位置しているものを抽出し、抽出された各画像内で領域が検出された位置に基づいて、各画像の順序を再設定するための順序再設定手段を含む。
【００２５】
原稿読取装置において所定の読取手順でブック原稿を読取ると、検出される領域の位置とページの上下方向とに規則性が現れる。その規則に当てはまる時に画像順序の再設定を行なうことで、正しい画像の順序に並び替えることができ、原稿読取時の作業を軽減することができる。
【発明の効果】
【００２６】
以上のように、本原稿読取装置によれば、ブック原稿を読取ることで画像データの回転処理、及び影領域の削除処理を行ない、プレビュー表示によって記録された画像データの状態を確認することができる。また、所定の読取手順でブック原稿を読取ることで、画像順序を自動的に並べ替えることができる。その結果、ブック原稿の読取に関してページの読取順序と上下方向とを考慮し、利用者の原稿読取時の作業を軽減する機能を持った原稿読取装置を提供することができる。
【発明を実施するための最良の形態】
【００２７】
以下の説明及び図面においては、同一部品には同じ参照符号および名称を付してある。それらの機能も同様である。したがって、それらについての詳細な説明は繰返さない。
【００２８】
―構成―
図１は本発明の一実施の形態に係る画像処理装置である原稿読取装置２００の断面図である。図１を参照して、本実施の形態に係る原稿読取装置２００は、複写機（図示せず）又は複合画像形成装置等の上に設けられ、自動原稿搬送装置（以下「ＡＤＦ」と呼ぶ）４０と、主走査部４２とを含む。ＡＤＦ４０と主走査部４２とはヒンジ（図示せず）によって連結されており、ＡＤＦ４０はヒンジによって主走査部４２に対して開閉可能となっている。主走査部４２は、筐体４４と、透明なガラス板からなる、原稿を載置するためのプラテン板４６と、筐体４４内に収容される第１画像読取部５８とを含む。
【００２９】
主走査部４２は、ユーザが原稿をプラテン板４６上に載置して原稿の読取を行なう原稿固定方式による画像読取と、ＡＤＦ４０によって自動的に原稿を搬送しながら読取りを行なう原稿移動方式との両読取方式に対応している。
【００３０】
以下、両読取方式の動作について説明しながら、原稿読取装置２００についての構成を説明する。
【００３１】
第１画像読取部５８は、原稿に光を照射するための光源６０と、原稿画像を読取るためのＣＣＤ（Ｃｈａｒｇｅ  Ｃｏｕｐｌｅｄ  Ｄｅｖｉｃｅ）７０と、原稿の反射光をＣＣＤ７０へ導くための第１ミラー６２、第２ミラー６４、及び第３ミラー６６と、ＣＣＤ７０に反射光を結像させるためのレンズ６８とを含む。第１画像読取部５８はさらに、光源６０と第１ミラー６２とを保持するための光源ユニット７２と、第２ミラー６４と第３ミラー６６とを保持するためのミラーユニット７４とを含む。
【００３２】
原稿固定方式によって原稿を読取る場合、光源ユニット７２と、ミラーユニット７４とは、原稿固定方式に対応したホームポジションにそれぞれ移動する。その後、光源ユニット７２は原稿に対して光を照射しながら一定の速度で副走査方向（紙面に対して左右方向）に移動して原稿の画像を走査し、それと同時にミラーユニット７４は、光源ユニット７２の移動速度の１／２の移動速度で、同じく副走査方向に移動する。
【００３３】
光源ユニット７２から照射され原稿から反射した光は、光源ユニット７２に設けられた第１ミラー６２で反射したのち、ミラーユニット７４の第２ミラー６４及び第３ミラー６６によって１８０°光路変換され、第３ミラー６６から反射された光はレンズ６８を介してＣＣＤ７０に結像し、電気的な画像データに変換される。
【００３４】
また、原稿移動方式によって原稿画像を読取る場合、光源ユニット７２とミラーユニット７４とは、図１に示される位置に静止する。そして、ＡＤＦ４０によって静止位置上部を通過するように搬送される原稿に対して光源６０から光を照射して画像を走査し、原稿の表面側から反射された光は、原稿固定方式と同様に第１ミラー６２によって反射された後、ミラーユニット７４内の第２ミラー６４及び第３ミラー６６によって１８０°光路変換され、レンズ６８を介してＣＣＤ７０に結像し、電気的な画像データに変換される。
【００３５】
ＡＤＦ４０は、原稿載置台４８と、原稿載置台４８に載置された原稿を１枚ずつ内部に呼込むための呼込ローラ５０と、呼込まれた原稿を原稿搬送路に従って搬送するための複数対ある搬送ローラ５２と、給紙タイミングを調整するためのレジストローラ５４と、画像読取を終えた原稿を排紙トレイ１１８へ排出するための排紙ローラ５６とを含む。ＡＤＦはさらに、ＡＤＦの下面に主走査部４２のプラテン板４６上に載置された読取原稿を押さえるための押さえ板１１２と、第２画像読取部９０とを含む。
【００３６】
第２画像読取部９０は、原稿に光を照射するための光源９２と、原稿画像を読取るためのＣＣＤ１０４と、原稿の反射光を反射させＣＣＤ１０４へ導くための第１ミラー９４、第２ミラー９６、第３ミラー９８、及び第４ミラー１００と、ＣＣＤ１０４に反射光を結像させるためのレンズ１０２とを含む。また、第２画像読取部９０は、１つの装置をなすようにユニット化されており、読取窓１２０を形成するユニット用筐体１１０に収容されている。ユニット化された第２画像読取部９０は略Ｕ字状に弧を描くＡＤＦの原稿搬送路内に収まるように配置されている。押さえ板１１２は、第２画像読取部９０の光源９２に対峙する部分が開放可能な蓋体１１６となっている。
【００３７】
なお、第２画像読取部９０において、光源９２、レンズ１０２及び、ＣＣＤ１０４は、第１画像読取部５８を構成する光源６０、レンズ６８、ＣＣＤ７０と同一のものである。
【００３８】
原稿読取装置２００において、ユーザから両面読取の要求がなされた際、ＡＤＦ４０を用いた原稿移動方式では、第１画像読取部５８は搬送されてきた原稿の表面側の画像を読取り、第２画像読取部９０は搬送されてきた原稿の裏面側の画像を読取る。具体的には、第１画像読取部５８によって原稿の表面側の画像が読取られた後、その原稿は原稿搬送路に沿って排紙トレイ１１８へ向けて搬送される間に、第２画像読取部９０の光源９２の下部を通過する。この際に、第２画像読取部９０の光源９２は原稿の裏面側へ光を照射し、原稿の裏面側から反射された光はガラスなどの透明部材で形成された読取窓１２０を通過し、第１ミラー９４、第２ミラー９６、第３ミラー９８、及び第４ミラー１００によって順次光路変更された後、レンズ１０２を介してＣＣＤ１０４に結像し、電気的な画像データに変換される。
【００３９】
図２は、原稿読取装置２００のハードウェア構成を表すブロック図である。図２を参照して、原稿読取装置２００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成され装置全体の動作を制御するための制御部２１０と、原稿画像を読取るためのスキャナ部２１２と、スキャナ部２１２に接続され、スキャナ部２１２で読取った光学データをページ単位で電気的な画像データに変換するための画像処理部２１４と、制御部２１０に接続され、ユーザが各種設定を入力するための操作パネル部２２０と、制御部２１０に接続され、制御中のデータ、入力された各種指示内容、及び画像処理部２１４で変換された画像データを記憶するための記憶部２１６と、制御部２１０に接続され、コンピュータ又はプリンタなどの外部機器３００との間で双方向通信を行なうための通信部２１８とを含む。
【００４０】
原稿読取装置２００はさらに、原稿固定方式によって原稿画像を読取る時に光源ユニット７２とミラーユニット７４とを適宜の速度で副走査方向に移動させるための原稿走査部駆動モータ２２４と、制御部２１０に接続され、原稿走査部駆動モータ２２４の動作を制御するためのドライバ２２２と、原稿搬送経路中に配置された呼込ローラ５０、搬送ローラ５２、レジストローラ５４、排紙ローラ５６などの各ローラを駆動するための原稿搬送ローラ駆動モータ２２８と、制御部２１０に接続され、原稿搬送ローラ駆動モータ２２８の動作を制御するためのドライバ２２６とを含む。
【００４１】
また、スキャナ部２１２は、第１画像読取部５８におけるＣＣＤ７０と、第２画像読取部９０におけるＣＣＤ１０４とを含む。
【００４２】
記憶部２１６は、ＲＡＭ、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ハードディスク、ＭＯ（Ｍａｇｎｅｔｏ−Ｏｐｔｉｃａｌ  ｄｉｓｋ）などで構成される。記憶部２１６は、スキャナ部２１２で読取った原稿画像を記憶する原稿画像記憶部を含む。
【００４３】
通信部２１８は、外部機器３００との間で双方向通信を行ない、画像処理部２１４で画像処理したデータを外部機器３００に送信する機能を持つ。また、外部機器３００から送信されたデータを本原稿読取装置２００で扱えるデータに変換するための機能も含む。
【００４４】
操作パネル部２２０は、表示パネル２３０と、スタートキー２３２と、クリアキー２３４と、制御部２１０に接続され、利用者が入力操作を行なうためのキーパネル２３８と、制御部２１０に接続され、利用者が手動編集モードに入る時に操作する手動編集キー２３６とを含む。また、操作パネル部２２０は、図示は省略しているが、図１に示す原稿読取装置２００の手前側に配置される。具体的には、主走査部４２をＡＤＦ４０より手前側まで拡張し、その上面部分に配置される。操作パネル部２２０は、原稿読取時の動作モード（片面読取や両面読取などの指定）を入力する場合などに用いられる。
【００４５】
図３は、原稿読取装置２００において、制御部２１０において実行され、ブック原稿を読取る際の画像編集処理を制御するためのプログラムの制御構造をフローチャート形式で表した図である。このプログラムは、すべての原稿ページが読取られ、メモリに格納された状態で開始される。図３及び図４〜図１１を参照して、プログラムの構成を説明する。
【００４６】
図３を参照して、このプログラムは、メモリから１ページ分の画像データを読出すステップＳ１００と、ステップＳ１００に続いて実行され、読出した画像データの文字の方向を判定するステップＳ１１０と、ステップＳ１１０に続いて実行され、読出した画像データの綴じ影の位置を検出するステップＳ１２０とを含む。
【００４７】
ステップＳ１１０では、読出したページ毎に文字の正立方向の判定をする。文字の方向は変数ＭＪを用いて表す。文字の正立方向の判定はパターンマッチング用の辞書を用意して行なう。文字形状の上下を正しく示す辞書と、上下を逆に示す辞書との２つの辞書を用いて、画像中の文字が上下正しい文字の方と多くマッチしたら、画像の上下は正しいと判定し変数ＭＪには０の値を設定する。画像中の文字が上下逆の文字と多くマッチしたら、画像の上下は逆であると判定し、変数ＭＪには１の値を設定する。また、画像の上下が不明な時は変数ＭＪには０の値を設定する。
【００４８】
ステップＳ１２０では、ブック原稿の綴じ影及び綴じ影の位置を検出する。ブック原稿を読取るときは、ページを開きプラテン板４６上に押付ける形で読取るため綴じ影が存在する。綴じ影の検出は、次のように行なう。
【００４９】
読取った画像データから、ある読取り画像について読取画素値を２５６階調とし、互いに平面上で直交するｘ軸、ｙ軸を用いて、点（ｘ、ｙ）における画素の輝度値をＬ（ｘ、ｙ）、（ｘ＝１〜２０００、ｙ＝１〜４０００）、とする。画素の輝度値を縦方向（ｙ軸方向）にすべて加算したものを加算画素値とし、ｘ軸の座標Ｘにおける加算画素値Ｌｓｕｍ（Ｘ）は、Ｌｓｕｍ（Ｘ）＝Ｌ（Ｘ、１）＋Ｌ（Ｘ、２）＋・・・＋Ｌ（Ｘ、４０００）として求められる。
【００５０】
加算画素値Ｌｓｕｍ（Ｘ）の値が低い場合は、座標Ｘにおける縦方向の輝度は低い。そのため黒い部分として認識される。綴じ影はある程度連続した黒い領域であるので、綴じ影はｘ軸上で基準幅Ｗｄ以上連続しているものとする。
【００５１】
しきい値Ｌｔｈ未満となる領域の始点をＸ１、終点をＸ２（１＜Ｘ１＜Ｘ２＜２０００）とすると、Ｘ２−Ｘ１の値が綴じ影の幅として表せる。加算画素値Ｌｓｕｍ（Ｘ）のうち、しきい値Ｌｔｈ未満となるものが横方向（ｘ軸方向）に、基準幅Ｗｄ以上連続している領域があればその領域を綴じ影と判定する。綴じ影の位置は、始点と終点の中間点、Ｘ３＝（Ｘ１＋Ｘ２）／２の位置を綴じ影の位置とする。また、しきい値Ｌｔｈ及び基準幅Ｗｄの値は利用者が任意に設定できるものとする。
【００５２】
また、光源ユニット７２の走査開始位置（ｘ＝０の位置）を画像読取時におけるホームポジション（以下「ＨＰ」と書く）とする。ｘ＝１〜２０００という読取った原稿の範囲において、綴じ影の位置Ｘ３がｘ方向で０付近の位置にあるときはＨＰに近いと判定され、ｘ方向で１０００付近の位置にあるときは綴じ影が中央にあると判定され、ｘ方向で２０００付近にあればＨＰから遠いと判定される。
【００５３】
図４は、綴じ影が検出された時、綴じ影の検出された位置と、画像データの文字の正立方向とから、各ページデータに付与されるページ種別符号を表す図である。
【００５４】
図４を参照して、文字方向と綴じ影の位置との関係からページ種別符号を決定する。文字方向が正しく（ＭＪ＝０）かつ綴じ影の位置がＨＰに近い場合にはページ種別符号はＡ、文字方向が正しく（ＭＪ＝０）かつ綴じ影の位置がＨＰから遠い場合にはページ種別符号はＢ、文字方向が逆で（ＭＪ＝１）かつ綴じ影の位置がＨＰに近い場合にはページ種別符号はＣ、文字方向が逆で（ＭＪ＝１）かつ綴じ影の位置がＨＰから遠い場合にはページ種別符号はＤとする。以上の条件に当てはまる時は該当するページ種別符号が画像データに付与され、条件に当てはまらない場合にはページ種別符号は付与されない。
【００５５】
このプログラムはさらに、ステップＳ１２０に続いて実行され、画像中に綴じ影が検出されたか否かを判定し、判定結果に応じて制御の流れを分岐させるステップＳ１３０と、ステップＳ１３０で綴じ影が検出されたと判定された場合（ＹＥＳの場合）に実行され、綴じ影の位置が画像データの中央であるか否かを判定し、判定結果に応じて制御の流れを分岐させるステップＳ１４０と、綴じ影の位置が画像データの中央であると判定された場合（ＹＥＳの場合）に実行され、画像データを中央で１／２に分割するステップＳ１５０と、綴じ影の位置が画像データの中央ではないと判定された場合（ＮＯの場合）に実行され、画像データにページ種別符号を付与するステップＳ１７０と、ステップＳ１５０、又はステップＳ１７０に続いて実行され、処理した画像が最終ページであるか否かを判定し、判定結果に応じて制御の流れを分岐させるステップＳ１６０とを含む。ステップＳ１６０において最終ページでないと判定された場合（ＮＯの場合）制御はステップＳ１００に戻る。
【００５６】
ステップＳ１３０では、基準幅Ｗｄ以上の影が検出されたときに綴じ影が検出されたと判定する。ブック原稿を読取るときは、読取原稿の形状から画像データのどこかに綴じ影が検出される。
【００５７】
ステップＳ１４０では、ステップＳ１２０で検出した影の位置を参照し、綴じ影の位置Ｘ３がｘ方向に１０００付近の位置に検出されたとき、画像データの中央に綴じ影があると判定する。
【００５８】
ステップＳ１５０では、綴じ影の位置が画像データの中央に存在することから、ブック原稿をプラテン板４６上に開いた状態で読取ったと判定する。そのため、画像データを中央で１／２ずつに分割して、それぞれ１ページの画像として扱えるように処理する。
【００５９】
ステップＳ１７０では、図４のページ種別テーブルを参照しながら、各画像データに対してページ種別符号を付与する。
【００６０】
図５は、ブック原稿の例である。このブック原稿の例では、左側に奇数ページが、右側に偶数ページが配置される。
【００６１】
図６は、図５のブック原稿例のページ配置を表す図である。このブック原稿の例では、左側の奇数ページ番号より右側の偶数ページ番号の方が大きいものとする。
【００６２】
図７は、ブック原稿の綴じ位置をページ毎に変えながら原稿を読取った時の画像データ、原稿のページ番号、及びページ種別符号を表す図である。図７の読取り方をケース１とする。ケース１の場合、ブック原稿はすべて上下方向を正しく読取り、原稿の綴じ位置は、ＨＰに近い、ＨＰから遠い、ＨＰに近い、ＨＰから遠い、・・と変えている。また、各画像データに付与されるページ種別符号の並びはＡ、Ｃ、Ａ、Ｃ、・・となる。
【００６３】
図８は、ブック原稿の綴じ位置をＨＰに近い側で固定し、ページ毎に上下を交互に変えてブック原稿を読取った時の画像データ、原稿のページ番号、及びページ種別符号を表す図である。図８の読取り方をケース２とする。ケース２のとき、利用者は偶数ページを読取る時にブック原稿を上下回転させているため、偶数ページの上下方向は逆に読取られる。各画像データに付与されるページ種別符号の並び順はＡ、Ｂ、Ａ、Ｂ、・・となる。
【００６４】
図９は、ブック原稿の綴じ位置をＨＰから遠い側で固定し、ページ毎に上下を交互に変えてブック原稿を読取った時の画像データ、原稿のページ番号、及びページ種別符号を表す図である。図９の読取り方をケース３とする。ケース３のとき、利用者は奇数ページを読取る時にブック原稿を上下回転させているため、奇数ページの上下方向は逆に読取られる。各画像データに付与されるページ種別符号の並び順はＤ、Ｃ、Ｄ、Ｃ、・・となる。
【００６５】
図１０は、ブック原稿の綴じ位置をＨＰに近い側で固定し、原稿の奇数ページのみを先に読取り、その後綴じ位置はそのままで偶数ページのみを順に読取った時の画像データ、原稿のページ番号、及びページ種別符号を表す図である。図１０の読取り方をケース４とする。ケース４のとき、利用者は偶数ページを読取る時にはブック原稿を上下回転させた状態で読取らせているため、偶数ページの上下方向は逆に読取られる。各画像に付与されるページ種別符号の並び順はＡ、Ａ、・・Ｂ、Ｂ、・・となる。
【００６６】
図１１は、ブック原稿の綴じ位置をＨＰから遠い側で固定し、原稿の奇数ページのみを先に読取り、その後綴じ位置はそのままで偶数ページのみを順に読取った時の画像データ、原稿のページ番号、及びページ種別符号を表す図である。図１１の読取り方をケース５とする。ケース５のとき、利用者は奇数ページを読取る時にはブック原稿を上下回転させた状態で読取らせているため、奇数ページの上下方向は逆に読取られる。各画像に付与されるページ種別符号の並び順はＤ、Ｄ、・・Ｃ、Ｃ、・・となる。
【００６７】
このプログラムはさらに、ステップＳ１３０で画像中に綴じ影が検出されないと判定された場合（ＮＯの場合）、又はステップＳ１６０で処理した画像が最終ページであると判定された場合（ＹＥＳの場合）に実行され、処理された画像データからページ種別符号が付与された画像のみを抽出するステップＳ２００と、ステップＳ２００に続き、抽出された画像のページ種別符号を読出し読取った画像順にページ種別符号を並べるステップＳ２０５と、ステップＳ２０５に続き、原稿のページ番号及びページ種別符号の並び順から先に述べたケース１から５のいずれかに該当するかを判定するステップＳ２１０とを含む。
【００６８】
より具体的には、ステップＳ２１０では、ステップＳ２０５で並べられたページ種別符号と、そのページ番号とを用いて、読取った原稿がケース１から５のいずれのケースに該当するかを以下のように判定する。原稿のページ番号が１、２、３、・・・、と順番に並び、かつページ種別符号が、Ａ、Ｃ、Ａ、Ｃ、・・・のように、ＡとＣとが交互に並ぶ時をケース１として判定する。原稿のページ番号が１、２、３、・・・、と順番に並び、かつページ種別符号が、Ａ、Ｂ、Ａ、Ｂ、・・・のように、ＡとＢとが交互に並ぶ時をケース２として判定する。原稿のページ番号が１、２、３、・・・、と順番に並び、かつページ種別符号が、Ｄ、Ｃ、Ｄ、Ｃ、・・・のように、ＤとＣとが交互に並ぶ時をケース３として判定する。ページ種別符号がＡ、・・・、Ａ、Ｂ、・・・、Ｂ、のように、連続するページ種別符号Ａの後に、連続してページ種別符号Ｂが続き、かつページ種別符号がＡのページには奇数のページ番号が１から順に振られ、ページ種別符号がＢのページには偶数のページ番号が２から順に振られるときをケース４として判定する。ページ種別符号がＤ、・・・、Ｄ、Ｃ、・・・、Ｃ、のように、連続するページ種別符号Ｄの後に、連続するページ種別符号Ｃが続き、かつページ種別符号がＤのページには奇数のページ番号が１から順に振られ、ページ種別符号がＣのページには偶数のページ番号が２から順に振られるときをケース５として判定する。また、上記したケース１から５のいずれにも該当しないページ種別符号、及びページ番号の並びの場合は、該当ケース無しとして判定する。
【００６９】
このプログラムはさらに、ステップＳ２１０に続いて実行され、読取った画像がケース４又はケース５に該当するか否かを判定し、判定結果に応じて制御の流れを分岐させるステップＳ２２０と、ステップＳ２２０でケース４又は５に該当すると判定された場合（ＹＥＳの場合）に実行され、奇数ページと偶数ページが交互に並ぶように読取り画像のページ順を入換えるステップＳ２３０と、ステップＳ２３０に続いて実行され、画像中の綴じ影を消去し、画像が上下逆の場合であれば画像を１８０°回転させるステップＳ２４０とを含む。また、ステップＳ２２０で読取った画像がケース４又は５に該当しないと判定された場合（ＮＯの場合）、制御はステップＳ２４０を実行する。
【００７０】
ステップＳ２３０において、図１０を参照し、ケース４ではページ種別符号がＡ、Ａ、・・・Ｂ、Ｂ、・・・となっており、ページ種別符号Ａの部分には奇数ページ番号の１、３、５、・・・が、Ｂの部分には偶数ページ番号の２、４、６、・・・が順に割当てられている。奇数ページと偶数ページを交互に並ぶように入換えるには、ページ種別符号を読取り順の先頭からＡ１、Ａ２、Ａ３、・・・とし、ページ種別符号がＡからＢに変わるところから、Ｂ１、Ｂ２、Ｂ３、・・・とする。このページ種別符号を基準にして、Ａ１、Ｂ１、Ａ２、Ｂ２、Ａ３、Ｂ３、・・・となるようにページを並べ替えることで、奇数ページと偶数ページが交互に並ぶようになる。並べ替え後のページ種別符号の並び順は、Ａ、Ｂ、Ａ、Ｂ、・・・となり、ケース２と一致する。ケース５でも同様に、図１１を参照して、ページ種別符号を読取り順の先頭からＤ１、Ｄ２、Ｄ３、・・・とし、ページ種別符号がＤからＣに変わるところから、Ｃ１、Ｃ２、Ｃ３、・・・とする。このページ種別符号を基準にして、Ｄ１、Ｃ１、Ｄ２、Ｃ２、Ｄ３、Ｃ３、・・・とページを並べ替えることで、奇数ページと偶数ページが交互に並ぶようになる。並べ替え後のページ種別符号の並び順はＤ、Ｃ、Ｄ、Ｃ、・・・となり、ケース３と一致する。
【００７１】
ステップＳ２４０において、それぞれの画像のページ種別符号がＢ及びＤの場合は、文字方向の上下が逆であるので画像を１８０°回転させる。また、画像中の綴じ影の位置には白画像を置換えることで影を消去する。
【００７２】
このプログラムはさらに、ステップＳ２４０に続いて実行され、表示パネル２３０に上記の画像編集が済んだ画像をプレビュー表示するステップＳ２５０と、ステップＳ２５０に続き、スタートキー２３２が押されたかどうかを判定し、判定結果に応じて制御の流れを分岐させるステップＳ２６０と、ステップＳ２６０でスタートキー２３２を押されたと判定された場合（ＹＥＳの場合）に実行され、出力処理を行なうステップＳ２７０と、ステップＳ２６０でスタートキー２３２を押されていないと判定された場合（ＮＯの場合）に実行され、クリアキー２３４が押されたか否かを判定し、判定結果に応じて制御の流れを分岐させるステップＳ２９０と、ステップＳ２９０でクリアキー２３４を押されたと判定された場合（ＹＥＳの場合）に実行され、メモリに蓄積されている画像データをすべて消去するステップＳ３１０と、ステップＳ２９０でクリアキー２３４を押されていないと判定された場合（ＮＯの場合）に実行され、手動編集キー２３６が押されたか否かを判定し、判定結果に応じて制御の流れを分岐させるステップＳ２８０と、ステップＳ２８０で手動編集キー２３６が押されたと判定された場合（ＹＥＳの場合）に実行され、手動編集モードに入るステップＳ３００とを含む。ステップＳ３００実行後、及びステップＳ２８０で手動編集キーを押されていないと判定された場合（ＮＯの場合）は、制御はステップＳ２６０に進む。
【００７３】
手動編集モードでは、ステップＳ２００で抽出されなかった画像も含め、読取った原稿がすべて表示され、ページ順の並べ替え、画像データの回転、及び綴じ影消去などを手動で指示し処理することができる。
【００７４】
また、ステップＳ２７０又はステップＳ３１０を実行後、このプログラムを終了する。
【００７５】
−動作−
本実施の形態に係る原稿読取装置２００は以下のように動作する。以下の説明はプラテン板４６を用いてブック原稿を読取る際の説明であり、ＡＤＦ４０を使用する場合の原稿読取装置２００の動作については本発明には直接関係せず、その概略についても構成の項で既に説明しているのでここでは説明しない。
【００７６】
まず利用者が、プラテン板４６上にブック原稿を１ページずつ配置し、読取り動作を行なう。このブック原稿の読取りについて説明する。
【００７７】
原稿読取に関しては、読取った順序にしたがって１ページ分の画像データとして記憶されていく。
【００７８】
ブック原稿は構造上、折曲げると原稿とプラテン台との間に隙間が生じ、原稿の綴じ位置上には綴じ影が生じる。
【００７９】
綴じ影を考慮した原稿読取の例を以下にいくつか挙げる。
【００８０】
ページ方向は上下正しく、左右のページを読取る時に原稿の綴じ位置をページ毎に変えながら読取る場合をケース１とする。読取結果は図７のようになり、ページの上下は正しく、綴じ影の位置がページ毎に移動している。
【００８１】
原稿の綴じ位置をＨＰに近い側で固定し、ページを回転して読取る場合をケース２とする。読取結果は図８のようになり、綴じ影の位置はＨＰ側に固定され、奇数ページは上下正しく、偶数ページは上下反転として読取られる。
【００８２】
原稿の綴じ位置をＨＰから遠い側で固定し、ページを回転して読取る場合をケース３とする。読取結果は図９のようになり、綴じ影の位置はＨＰから遠い側に固定され、偶数ページは上下正しく、奇数ページは上下反転として読取られる。
【００８３】
原稿の綴じ位置をＨＰに近い側で固定し、原稿を奇数ページだけ順に読取った後、偶数ページだけ順に読取る場合をケース４とする。読取結果は図１０のようになる。
【００８４】
原稿の綴じ位置をＨＰから遠い側で固定し、原稿を奇数ページだけ順に読取った後、偶数ページだけ順に読取る場合をケース５とする。読取結果は図１１のようになる。
【００８５】
ただし、原稿読取方法に関しては上記の例に限定されることはない。原稿読取時に途中で原稿の綴じ位置などを変更して読取ったとしても、１ページの画像データとして記憶されることには変わりはない。
【００８６】
すべての原稿のページが読取られ記憶部２１６に格納されると、図３に制御構造を示すプログラムの実行が開始される。
【００８７】
プログラムではまず、読取った順に１ページずつ画像データが読み出される。
【００８８】
次に、画像データ中に存在する文字の方向から、読取った画像データの正立方向を判定する。
【００８９】
次に、ブック原稿を読取る際に生じる綴じ影の位置を検出し、ＨＰに近いか、離れたところにあるのかを判定する。
【００９０】
読取った画像データに対し、画像データの上下方向と綴じ影の位置との関係からページ種別符号が判定され、判定結果にしたがってそれぞれの画像データにページ種別符号を付与する。
【００９１】
読取った原稿の最終ページまで処理を終えたら、ページ種別符号が付与された画像のみを抽出される。
【００９２】
抽出された画像のページ種別符号を読出し、原稿を読取った順にページ種別符号を並べる。
【００９３】
ページ種別符号の並び順から、ケース１からケース５のいずれかに該当するかを判定し、ケース４又はケース５に該当する場合には奇数ページと偶数ページが交互に並ぶようにページ順変更の処理を行なう。
【００９４】
抽出された画像に対して綴じ影消去の処理を行ない、その中で画像の正立方向が逆であると判定されている画像に対しては、画像を１８０°回転させ正立方向を修正する。
【００９５】
これらの処理が行なわれた編集済みの画像を、表示パネル２３０にプレビュー表示する。その表示で問題がなければ利用者はスタートキー２３２を押す。スタートキー２３２を押すことで、利用者があらかじめ設定しておいたコピー出力又は画像送信が行なわれる。
【００９６】
また、プレビュー表示の状態で手動編集キー２３６を押すと、手動編集モードへ移行する。
【００９７】
手動編集モードでは、抽出されなかった画像も含め、読取った原稿がすべて表示され、ページ順の並べ替え、画像データの回転、及び綴じ影消去などを手動で指示し、処理することができる。
【００９８】
手動編集モードで並べ替えを行なった後、スタートキー２３２を押すと、利用者があらかじめ設定しておいたコピー出力又は画像送信が行なわれる。
【００９９】
また、クリアキー２３４を押すとメモリに蓄積された画像データをすべて消去し、プログラムを終了する。
【０１００】
ブック原稿を開いた状態で読取った時の動作は以下のようになる。
【０１０１】
ブック原稿を開いた状態で読取った画像データは、綴じ影が画像データの中央の位置に検出される。
【０１０２】
綴じ影が画像データの中央にあると判定された画像は、中央で１／２に分割され、それぞれの画像データが１ページの画像データとして扱えるよう処理される。
【０１０３】
分割処理された画像データは、手動編集モードでページ順の並べ替えを行なう。並べ替えを行なった後、スタートキー２３２を押すと、利用者があらかじめ設定しておいたコピー出力又は画像送信が行なわれる。
【０１０４】
以上のように、本実施の形態に係る原稿読取装置２００では、図３に示すプログラムを制御部２１０で実行することによって、読取原稿のページの回転処理、ページ順の並べ替え、綴じ影消去、及びブック原稿を開いて読取った時の画像データの自動分割が実現でき、利用者の作業の軽減が可能となる。この原稿読取装置２００を用いることにより、ブック原稿の読取に関してページの読取順序と上下方向とを考慮し、利用者の原稿読取時の作業を軽減することができる。
【０１０５】
なお、上記の実施の形態では、第１画像読取部５８及び第２画像読取部９０は光学縮小方式のＣＣＤ方式としているが、等倍光学方式のＣＩＳ（Ｃｏｎｔａｃｔ  Ｉｍａｇｅ  Ｓｅｎｓｏｒ）方式でもよい。
【０１０６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１０７】
【図１】本発明の一実施の形態に係る原稿読取装置２００の断面図である。
【図２】原稿読取装置２００のハードウェア構成を表すブロック図である。
【図３】原稿読取装置２００において、制御部２１０において実行され、ブック原稿を読取る際の画像編集処理を制御するためのプログラムの制御構造をフローチャート形式で表した図である。
【図４】ページ種別テーブルを表す図である。
【図５】ブック原稿の例を表す図である。
【図６】ブック原稿例のページ配置を表す図である。
【図７】ブック原稿の綴じ位置をページ毎に変えながら原稿を読取った時の画像データ、原稿のページ番号、及びページ種別符号を表す図である。
【図８】ブック原稿の綴じ位置をＨＰに近い側で固定し、ページ毎に上下を交互に変えてブック原稿を読取った時の画像データ、原稿のページ番号、及びページ種別符号を表す図である。
【図９】ブック原稿の綴じ位置をＨＰから遠い側で固定し、ページ毎に上下を交互に変えてブック原稿を読取った時の画像データ、原稿のページ番号、及びページ種別符号を表す図である。
【図１０】ブック原稿の綴じ位置をＨＰに近い側で固定し、原稿の奇数ページのみを先に読取り、その後綴じ位置はそのままで偶数ページのみを順に読取った時の画像データ、原稿のページ番号、及びページ種別符号を表す図である。
【図１１】ブック原稿の綴じ位置をＨＰから遠い側で固定し、原稿の奇数ページのみを先に読取り、その後綴じ位置はそのままで偶数ページのみを順に読取った時の画像データ、原稿のページ番号、及びページ種別符号を表す図である。
【符号の説明】
【０１０８】
４２  主走査部
４６  プラテン板
２００  原稿読取装置
２１０  制御部
２１２  スキャナ部
２１４  画像処理部
２１６  記憶部
２２０  操作パネル部
２３０  表示パネル
２３２  スタートキー
２３４  クリアキー
２３６  手動編集キー
２３８  キーパネル
【図１】
2010028510.tif 000003
【図２】
2010028510.tif 000004
【図３】
2010028510.tif 000005
【図４】
2010028510.tif 000006
【図５】
2010028510.tif 000007
【図６】
2010028510.tif 000008
【図７】
2010028510.tif 000009
【図８】
2010028510.tif 000010
【図９】
2010028510.tif 000011
【図１０】
2010028510.tif 000012
【図１１】
2010028510.tif 000013